(57)【要約】【課題】  小径の口頸部でも安定した嵌合強度で閉蓋状態を確実に保持するとともに、蓋体を少し回動させるだけで嵌脱できる化粧操作の容易な化粧料容器にする。【解決手段】  小径の口頸部２を立設した容器本体１と、前記口頸部２に嵌脱自在な内蓋１５に外蓋１１を被着して成る蓋体１０と、を有して構成された化粧料容器において、前記口頸部２の外周面の相対位置には外側面が弧状面３ａに形成された一対の突条３が水平に突設されており、一方、前記内蓋１５には、頂壁１６および相対する側壁１７を切り欠いて円筒孔１９に開口する窓孔２１を設けるとともに前記窓孔２１の下方の相対する側壁１７の背面を切り欠いて内面を平行面とした薄肉壁２３を形成し、前記平行面２２の下方には、前記突条３の下縁３ｃに係合するリード突起２４を設けるとともに、前記リード突起２４ののぞき側には、蓋体１０の回動時に前記突条３が乗り越えるリブ２５を設け、前記リード突起２４ののぞき側の反対側には、前記突条３の側端面３ｂに当接するストッパ３６を設けた。【選択図】      図１
2006206084.tif 000002
【特許請求の範囲】
【請求項１】
小径の口頸部を立設した容器本体と、前記口頸部に嵌脱自在な内蓋に外蓋を被着して成る蓋体と、を有して構成された化粧料容器において、前記口頸部の外周面の相対位置には外側面が弧状面に形成された一対の突条が水平に突設されており、一方、前記内蓋には、頂壁および相対する側壁を切り欠いて円筒孔に開口する窓孔を設けるとともに前記窓孔の下方の相対する側壁の背面を切り欠いて内面を平行面とした薄肉壁を形成し、前記平行面の下方には、前記突条の下縁に係合するリード突起を設けるとともに、前記リード突起ののぞき側には、蓋体の回動時に前記突条が乗り越えるリブを設け、前記リード突起ののぞき側の反対側には、前記突条の側端面に当接するストッパを設けたことを特徴とする化粧料容器。
【請求項２】
内蓋内に装着される塗布用部材における嵌着部の中心に棒状突起を立設するとともに、前記内蓋の頂壁の下面中央に前記棒状突起を内嵌する環状突起を垂設したことを特徴とする請求項１記載の化粧料容器。
【発明の詳細な説明】
【技術分野】
【０００１】
本発明は、マニキュア、マスカラ、アイライナーのような流動性の化粧料を液密に収納するとともに、これを塗布するのに好適な化粧料容器に関する。
【背景技術】
【０００２】
従来より、マニキュア、マスカラ、アイライナーのような化粧料容器として、簡便に化粧ができるように棒状の塗布用部材を一体に固着したネジ蓋と、液密性が確実に保持できるとともに内容物を少量取り出すのに便利なように小径の口頸部を立設した小形ボトルと、の組合せから成るネジ蓋式の容器が多く流通している。
【０００３】
このような化粧料容器として、例えば、特開２００３−２３０４２７号公報には、ネイルエナメル等の液状化粧料を収納した小径の口頸部を有するボトルと、塗布用部材を垂下突設した前記口頸部に嵌脱自在に装着されるネジ蓋と、から成る小形の容器が開示されている。この容器を使用するときは、ネジ蓋を外し持って化粧料に浸漬されている塗布用部材をボトルから引き抜き、そのまま塗布用部材に付着した化粧料を塗布するものである。
【０００４】
マニキュアや、マスカラ、アイライナー等を使う化粧では、蓋の塗布用部材を何度も容器中に差し込んで塗布用部材の先端部に化粧料を補充しながら化粧をする。このため、容器中の化粧料の残量が少なくなると、塗布用部材に化粧料を補充する為には、補充の度にネジ蓋を回して螺子嵌合をして塗布部材の先端部を容器の底部に届かせる必要がある。このような螺子操作は面倒であることから、蓋の着脱操作がより簡便に行える容器が望まれている。
【０００５】
蓋の着脱が簡便にできる容器として、例えば、実開平３−１１６４８号公報には、容器本体の口部の外周面における相対する位置に、口部の周方向に延びる二対の突条を設け、各一対の突条の突出方向の外表面を互いに平行な面に形成する一方、蓋体の内壁面に、前記突条の下縁に係合する一対の突起と、もう一対の突条の端部に当接して蓋体の可動を規制する一対のストッパ片と、このストッパ片と突条とが当接状態にあるとき当該突条の平行面に面接触する平行面とを設けた構成のものが開示されている。
【０００６】
この容器は、閉蓋するときは、蓋体を少し回動するだけで、突起が締め代分だけ押し下げられて突条の下面を摺動し、突起の上縁と突条の下縁が係合するとともに突条の平行面と蓋内壁の平行面とが面接触して蓋体の緩み止めがされ、且つ蓋体と容器本体の位置合わせがなされる。また、開蓋するときは、蓋体を逆方向に少し回動させつつ引き上げるだけで容器本体から外すことができるというものである。
【特許文献１】特開２００３−２３０４２７号公報
【特許文献２】実開平３−１１６４８号公報
【発明の開示】
【発明が解決しようとする課題】
【０００７】
ところで、上述した特開２００３−２３０４２７号公報に開示された化粧料容器は、通常の回転数の多いネジ蓋式であるので液密性が確実に保持できるものの、容器内の化粧料が残り少なくなると、塗布用部材の先端部に化粧料を補充ようとする度にネジ蓋を締め切るまで回さなければならず、使いかってに問題があった。
【０００８】
また、実開平３−１１６４８号公報に開示された容器は、蓋体を少し回動させるだけで嵌脱できることから利便性が高いが、容器本体の口部における突条の平行面と蓋体内壁の平行面とが面接触することにより蓋体の緩み止めがなされる構成である為に、僅かな成形誤差によっても接触面の当たりが強ければ蓋体の嵌合が硬くなり、接触面に隙間ができればガタツキが発生することから嵌合強度の調整が難しかった。
【０００９】
また、この容器は、口部の周方向に延びる二対の突条を設け、各一対の突条の突出方向の外表面を互いに平行な平らな面に形成する構成であるので、マニキュア、マスカラ、アイライナー等のような小径の口部を有する小形の容器にこの発明に開示された蓋の嵌め合わせ構造を適用した場合、口部が小径であると、口部の外周に形成される四つの各突条の周方向の平面寸法が非常に短いものになる。したがって、蓋体の締まりが不安定になり易く僅かな衝撃でも開き易いうえに、接触した平行面どうしが回り合うことによって生ずる乗り越え抵抗が極めて弱くなる為に、開閉時のクリック感触が薄弱になるという問題があった。また、口部が小径であると、これに嵌合する内蓋の内側も小径になることから、内蓋の内壁面が撓みにくくなり、使い易い嵌合強度に調整することが更に難しくなる。
【００１０】
本発明は、上記の問題に鑑みてなされたもので、小径の口頸部でも安定した嵌合強度で閉蓋状態を確実に保持するとともに、蓋体を少し回動させるだけで嵌脱できる化粧操作の容易な化粧料容器を提供するとにある。
【課題を解決するための手段】
【００１１】
本発明は、小径の口頸部を立設した容器本体と、前記口頸部に嵌脱自在な内蓋に外蓋を被着して成る蓋体と、を有して構成された化粧料容器において、前記口頸部の外周面の相対位置には外側面が弧状面に形成された一対の突条が水平に突設されており、一方、前記内蓋には、頂壁および相対する側壁を切り欠いて円筒孔に開口する窓孔を設けるとともに前記窓孔の下方の相対する側壁の背面を切り欠いて内面を平行面とした薄肉壁を形成し、前記平行面の下方には、前記突条の下縁に係合するリード突起を設けるとともに、前記リード突起ののぞき側には、蓋体の回動時に前記突条が乗り越えるリブを設け、前記リード突起ののぞき側の反対側には、前記突条の側端面に当接するストッパを設けたことを特徴としており、口頸部に被せた蓋体を若干回動するだけで、口頸部の突条と蓋体のリード突起との係脱がなされて蓋体の嵌脱ができる。また、閉蓋時には、口頸部の一対の突条がリブを乗り越えストッパに当接してリード突起と係合し、且つ突条の弧状面と薄肉壁の平行面が弾性的に接触して蓋体の緩み止めがなされるようにした。
【００１２】
また、内蓋内に装着される塗布用部材における嵌着部の中心に棒状突起を立設するとともに、前記内蓋の頂壁の下面中央に前記棒状突起を内嵌する環状突起を垂設することが好ましい。
【発明の効果】
【００１３】
本発明の化粧料容器によれば、蓋体のリード突起と係合する口頸部の突条を一対とするとともに突条の外周面を弧状面とし、閉蓋時には、突条の弧状面と蓋体側の薄肉壁の平行面が弾性的に接触して蓋体の緩み止めがなされるように構成したので、口頸部が小径の容器でも、薄肉壁が弾性的に弧状に撓むことにより蓋体の嵌合強度を安定させることができる。また、リード突起ののぞき側にリブを設けたことにより、蓋体の開閉時のクリック感触を出せるとともに、このリブが回転方向に対し抵抗体として突条に係り合うので蓋体の戻り防止を確実にすることができる。
【００１４】
また、口頸部の突条とこれに係合する蓋体のリード突起をそれぞれ一対に形成し、且つ突条とリード突起の回転方向の寸法が短寸であるので、蓋体を若干回動するだけで嵌脱が可能である。したがって、蓋体の塗布用部材による化粧を手早くすることができる。
【００１５】
また、内蓋の環状突起に嵌着部の棒状突起を嵌合して塗布用部材を固定するように構成したので、嵌着部が嵌挿される内蓋の取付孔の一部が窓孔として切り欠かれている為に嵌着部の周面の一部分が取付孔の壁に接触していなくても、塗布用部材が衝撃によって傾くことがなく、ハードな化粧操作による塗布用部材の傾きを防止することができる。
【発明を実施するための最良の形態】
【００１６】
以下、本発明の化粧料容器の好適な実施の形態を、図面を参照しながら詳細に説明する。
【００１７】
図１乃至図７は、本発明の化粧料容器を示しており、図１は、本発明の化粧料容器が塗布用部材を装着したマニキュア容器とした場合の例を示している。
【００１８】
図１に示すように、この実施の形態の化粧料容器は、小径の口頸部２を立設した容器本体１と、この容器本体１の口頸部２に嵌着する蓋体１０とから成り、蓋体１０の内部中心には塗布用部材３０が装着されている。
【００１９】
容器本体１は、合成樹脂やガラス材料を用いて平面正方形に成形された小形のボトルであり、図２に示すように、その口頸部２の外周面の相対位置には、側端面３ｂを有し外側面が弧状面３ａ、３ａに形成された周方向に延びる一対の突条３、３が水平に突設されている。また、突条３の下方には、蓋体１０の内面に接して嵌合のガタツキを防止する為のリング４が周設されている。
【００２０】
蓋体１０は、図３に示すように、容器本体１と同様に平面正方形の外蓋１１と、口頸部２に嵌脱する内蓋１５とから成り、外蓋１１を内蓋１５に被せ、アンダーカット嵌合することにより一体化されている。
【００２１】
内蓋１５は、頂壁１６と、四面の側壁１７を有し、その四隅には肉逃げ用の縦穴１７ａが設けられ、各側壁１７の下方には、外蓋１１とアンダーカット掛止する為の掛止突条１８が突設されている。また、内蓋１５の内側は、下面に開口し口頸部２が挿入可能な有頂の円筒孔１９に形成されており、円筒孔１９の上部は下向き段部２０を介して塗布用部材３０の円形の嵌着部３１が嵌入する取付孔１９ａとなっている。また、取付孔１９ａを構成する頂壁１６の下面中央には、塗布用部材３０の棒状突起３２を内嵌する環状突起１６ａが垂設されている。
【００２２】
また、内蓋１５には、頂壁１６および相対する側壁１７にかけて円筒孔１９に開口する窓孔２１が設けられており、この窓孔２１の下方の相対する側壁１７の背面が切り欠かれて薄肉壁２３に形成され、この薄肉壁２３の内面は対向する平行面２２となっている。
【００２３】
また、図６に示すように、この平行面２２の下方には、口頸部２の突条３の下縁３ｃに係合するリード突起２４が設けられているとともに、リード突起２４ののぞき側は蓋体１０の締め代を得る為の傾斜面２４ａに形成されている。また、リード突起２４の傾斜面側には蓋体１０の回動時に突条３が乗り越えるリブ２５が設けられており、リード突起２４の傾斜面のある反対側には、閉蓋時に突条３の側端面３ｂに当接するストッパ２６が設けられている。
【００２４】
内蓋１５に外蓋１１を被せて一体化した蓋体１０には、外蓋１１の内壁と内蓋１５の相対する側壁１７の背面を切り欠かいて形成した薄肉壁２３との間に空隙１２が形成されており、薄肉壁２３の外方への撓み余地となっている。
【００２５】
塗布用部材３０は、塗布軸部３３と、塗布軸部３３の下端部に植設された塗布体３４と、塗布軸部３３の上端に一体に形成された椀状の嵌着部３１と、から成り、嵌着部３１の上面中心には棒状突起３２が立設され、嵌着部３１の下面には口頸部２の開口部に液密に嵌合する寸法の環状リブ３５が突設されている。
【００２６】
この塗布用部材３０は、その棒状突起３２を内蓋１５の環状突起１６ａに嵌挿するとともに嵌着部３１を内蓋１５の取付孔１９ａに圧入しアンダーカット係合手段で取付けられている。
【００２７】
したがって、取付孔１９ａの一部分が窓孔２１として切り欠かれている為に、取付孔１９ａに圧入された嵌着部３１の周面の一部分が取付孔１９ａの内壁面に接触していなくても、衝撃によって塗布用部材３０が傾くようなことがなく、化粧中のハードな扱いに耐えることができる。
【００２８】
以上説明した本実施の形態の化粧料容器にあっては、塗布用部材３０を口頸部２に挿入し蓋体１０を口頸部２に被せて時計方向に回転すると、内蓋１５のリード突起２４の傾斜面２４ａと口頸部２の突条３の下縁３ｃが接し、リード突起２４が傾斜面２４ａの作用により締め代分だけ押し下げられて蓋体１０に下降方向の軸荷重が発生するするとともに、リード突起２４が突条３の下面を摺動し、リード突起２４の上縁と突条３の下縁３ｃが係合する。そして更に回転を進めると、突条３の弧状面３ａがリブ２５を乗り越えて薄肉壁２３の平行面２２に摺動しつつ外方に押圧する。そして、図５に示すように、突条３の側端面３ｂがストッパ２６に当接することにより蓋体１０の回動が規制され、閉蓋状態となる。
【００２９】
閉蓋時には、蓋体１０に装着された塗布用部材３０の嵌着部３１の下面が口頸部２の頂端面に当接するとともに環状リブ３５が口頸部２の開口部に液密に嵌合し、蓋体１０の下降方向の軸荷重が働いて容器の密閉が保持される。
【００３０】
また、閉蓋時には、一対の突条３の弧状面３ａと蓋体側の薄肉壁２３の平行面２２が弾性的に接触し薄肉壁２３が僅かに弧状に撓むことによって蓋体１０の緩み止めがなされるので、容器本体１の口頸部２が小径であっても、安定した蓋体１０の嵌合強度をえることができる。
【００３１】
また、蓋体１０を開閉する度に突条３がリブ２５を乗り越えるので、開閉時のクリック感触を出せるとともに、リブ２５が回転方向に対し抵抗体として突条３に係り合うことから、閉蓋時における蓋体１０の戻り防止を確実にしている。
【００３２】
そして、口頸部２の突条３とこれに係合する蓋体１０のリード突起２４がそれぞれ一対に形成され、且つ突条３とリード突起２４の回転方向の寸法が短寸であるので、口頸部２に被せた蓋体１０を若干回動するだけで、突条３とリード突起２４の係脱がなされる。したがって、開蓋するときは、蓋体１０を逆時計方向に少し回動させつつ引き上げるだけで容器本体１から外すことができる。
【００３３】
以上のように、蓋体１０の嵌脱が簡単にできることから、本実施の形態の化粧料容器は、蓋体１０に装着した塗布用部材３０に容器本体１内の化粧料を頻繁に補充しながら化粧をするマニキュア、マスカラ、アイライナー等の容器として好適である。
【図面の簡単な説明】
【００３４】
【図１】本発明の化粧料容器の実施の形態を示す縦断面図。
【図２】図１の容器の容器本体を示す平面図。
【図３】図１の容器の蓋体を示す分解斜視図。
【図４】図１の容器の外蓋を取り去った状態を示す平面図。
【図５】図１の容器のＡ−Ａ矢視方向を示す横断面図。
【図６】図３に示す蓋体における内蓋のＢ−Ｂ線縦断面図。
【符号の説明】
【００３５】
１  容器本体，２  口頸部，３  突条，３ａ  弧状面，３ｂ  側端面，３ｃ  下縁，１０  蓋体，１１  外蓋，１５  内蓋，１６  頂壁，１６ａ  環状突起，１７  側壁，１９  円筒孔，２０  窓孔，２２  平行面，２３  薄肉壁，２４  リード突起，２５  リブ，２６  ストッパ，３０  塗布用部材，３１  嵌着部，３２  棒状突起
【図１】
2006206084.tif 000003
【図２】
2006206084.tif 000004
【図３】
2006206084.tif 000005
【図４】
2006206084.tif 000006
【図５】
2006206084.tif 000007
【図６】
2006206084.tif 000008